(57)【特許請求の範囲】
【請求項１】
前段の処理槽と消毒槽とを移流配管で接続し、前段の処理槽の処理水を移流配管を介してのみ消毒槽に移流して消毒して滅菌した後に放流する浄化槽において、処理水を消毒槽内に流入させる直線管を設け、この直線管内に移流する処理水を堰き止めて滞留させるように起立させた仕切板とその奥側に位置して下縁を滞留する処理水中に埋没させるように垂下させた仕切板を設けたことを特徴とする浄化槽。
【発明の詳細な説明】
【０００１】
【発明の属する技術分野】
本発明は、処理水を塩素により滅菌処理して放流する浄化槽およびその塩素ガス水封装置に関する。
【０００２】
【従来の技術】
生活系の屎尿および雑排水等の汚水の処理に用いる浄化槽は、図３に示すように、基本的には、分離処理部と分解処理部と濾過処理部と後処理部によって構成し、具体的には、幾つかの異なる機能をもった処理槽を選択的に組み合わせて構成し、最終処理工程において消毒槽で滅菌処理を行っている。
【０００３】
この浄化槽は、構造的には、各処理槽の間を移流配管および移流口により接続して処理水を移流する。最終段の消毒槽における滅菌処理は、塩素を用いて行うが、このときに塩素ガスが発生する。消毒槽において発生した塩素ガスは、消毒槽内に充満し、移流配管を通って前段の処理槽にも流れ込む。
【０００４】
この塩素ガスは、処理槽内の金属部品を錆びさせる原因となるために、従来の消毒槽は、塩素ガスによる錆び発生を対策するために、金属部品の代りに樹脂部品を使用したり、亜鉛めっきや塗装を行った金属部品を使用している。
【０００５】
しかしながら、消毒槽の前段の処理槽には、可動部品や機器類が設置される場合があり、これらの部品は亜鉛めっきや塗装することができない場合がある。このような場合には、消毒槽への移流配管流入部に塩素ガス水封装置を採用することにより、消毒槽から前段の処理槽への塩素ガスの流入を防いでいる。
【０００６】
図４は、従来の浄化槽における消毒槽の移流配管流入部における塩素ガス水封装置を示している。この塩素ガス水封装置は、消毒槽１１の移流配管流入部に設置した消毒トレイ２３に凹部２３ａを形成し、移流配管１５の先端にソケット１７を介して取り付けた延長管２４の先に下向きに設けたエルボ管２５の先端を前記消毒トレイ２３の凹部２３ａ内に開口させている。エルボ管２５から消毒トレイ２３に流入する処理水は、この消毒トレイ２３の凹部２３ａに入って該凹部２３ａを満たした後に該消毒トレー２３を流れて消毒薬剤装置２６により消毒薬剤（塩素）が添加されたのちに消毒槽１１内に流下して滅菌される。この消毒により消毒槽１１の上部空間には塩素ガスが充満するが、エルボ管２５の開口端は凹部２３ａ内の処理水中に埋没するために、この消毒槽１１内の上部空間とエルボ管２５内の空間は連通せず、従って、消毒槽上部空間の塩素ガスが前段の処理槽に流入すのを防止することができる。
【０００７】
【発明が解決しようとする課題】
しかしながら、この塩素ガス水封装置は、エルボ管２５の先端を埋没させる凹部２３ａを形成することができる大きな消毒トレイ２３が必要になり、消毒槽１１が大型化する問題がある。
【０００８】
また、部品数が多くなって組立所要時間が長くなる問題がある。
【０００９】
本発明の１つの目的は、塩素ガス水封装置の小型化によって消毒槽の大型化を防止することにある。
【００１０】
本発明の他の目的は、塩素ガス水封装置を少ない部品数で構成することにより組み立て所要時間を短縮することにある。
【００１２】
【課題を解決するための手段】
本発明は、前段の処理槽と消毒槽とを移流配管で接続し、前段の処理槽の処理水を移流配管を介してのみ消毒槽に移流して消毒して滅菌した後に放流する浄化槽において、処理水を消毒槽内に流入させる直線管を設け、この直線管内に移流する処理水を堰き止めて滞留させるように起立させた仕切板とその奥側に位置して下縁を滞留する処理水中に埋没させるように垂下させた仕切板を設けた。
【００１３】
【発明の実施の形態】
本発明の実施の形態を図１および図２を参照して説明する。図１は、浄化槽の全体的な構成を示す横断平面図である。図２は、消毒槽と塩素ガス水封装置を示すもので、（ａ）はその横断平面図、（ｂ）は縦断側面図、（ｃ）は塩素ガス水封装置の縦断側面図、（ｄ）は仕切板配置図である。
【００１４】
この浄化槽は、図１に示すように、汚水を流入配管１から分離処理ユニット２に流入する。分離処理ユニット２は、沈殿分離第１槽３と該沈殿分離第１槽３と移流口４を介して連通する沈殿分離第２槽５を備える。流入配管１からの汚水は沈殿分離第１槽３に流入させて固形物を沈降分離処理した後に移流口４を通して後段の沈殿分離第２槽５に移流し、この沈殿分離第２槽５においても同様に汚水中の固形物を沈降分離処理する。
【００１５】
この分離処理ユニット２の後段の沈殿分離第２槽５は、移流配管６を介して曝気および消毒処理ユニット７に接続する。この曝気および消毒処理ユニット７は、移流口８を介して連通する接触曝気第１槽９と接触曝気第２槽１０および消毒槽１１を備える。移流配管６から移流する汚水は、接触曝気第１槽９において曝気処理することにより有機物を酸化分解処理した後に移流口８を通して後段の接触曝気第２槽１０に移流し、この接触曝気第２槽１０においても同様に汚水の曝気処理を行う。
【００１６】
この曝気および消毒処理ユニット７の後段の接触曝気第２槽１０は、移流配管１２を介して後段の沈殿処理ユニット１３に接続する。この沈殿処理ユニット１３は、沈殿処理槽１４を形成し、移流配管１２を介して流入する汚水を沈殿濾過する。この沈殿濾過槽１４は、移流配管１５を介して後段の消毒槽１１に接続して上澄液（処理水）を移流する。
【００１７】
消毒槽１１は、移流配管１５から流入する処理水を消毒することにより滅菌して放流配管１６に放流する。
【００１８】
消毒槽１１における処理水の消毒は、図２に示すように、前記移流配管１５の先端にソケット１７によって接続した直線管１８を消毒槽１１内に略水平状態に設置し、その先端から流下する処理水を消毒トレイ１９で受け止め、この消毒トレイ１９に設置した消毒薬剤筒２０から消毒薬剤として塩素を添加した後に消毒槽１１内に流下させる。
【００１９】
直線管１８内には、その出口に近い位置に管内の下側領域を堰き止めるための半円形状の第１仕切板２１を起立するように設置し、その奥に位置させて管内の上側領域を堰き止める半円形状の第２仕切板２２を垂下するように設置している。直線管１８は、塩化ビニルまたはＦＲＰ製とし、仕切板２１，２２は、塩化ビニルまたはＦＲＰまたはポリエチレンまたはポリプロピレン製とし、仕切板２１の上縁は仕切板２２の下縁よりも高くなるようにしている。
【００２０】
このような直線管１８と仕切板２１，２２によれば、第１の仕切板２１は、移流配管１５から直線管１８に移流する処理水を堰き止めて該直線管１８内に滞留させ、第２仕切板２２は、その下縁を第１仕切板２１に堰き止められて滞留する処理水中に埋没させる。従って、移流配管１５から直線管１８内に移流した処理水は、第２仕切板２２の下縁の下側を潜ってその下流に流れ、次いで、第１仕切板２１の上縁を越流して直線管１５から流出して消毒トレイ１９に流下して該消毒トレイ１９上で消毒薬剤として塩素が添加されて消毒槽１１内に流下する。そして、浄化槽１１の上部に充満する塩素ガスは、直線管１８内では、第１および第２仕切板２１，２２と滞留する処理水によって遮られるのでそれより上流側に流出することがない。
【００２１】
消毒槽１１内の処理水は、この消毒槽１１内に滞留する間に滅菌されて清浄な状態となって放流配管１６に放流される。
【００２２】
このような塩素ガス水封装置によれば、エルボ管や消毒トレイの凹部が不要となるので、部品数が少なく且つ小型になり、消毒槽１１の大型化を防止し、更には組み立て所要時間を短縮することができる。
【００２３】
【実施例】
呼び径１５０ｍｍのソケット１７を消毒槽１１に取り付け、呼び径１５０ｍｍで長さが４００ｍｍの塩化ビニル製の直線管１８を消毒槽１１内の水平状態に取り付けた。
【００２４】
直線管１８内には、予め、第１および第２仕切板２１，２２を設置した。第１および第２仕切板２１，２２は、塩化ビニル製の厚さ３ｍｍの板を使用し、前記直線管１８の外径より５ｍｍ大きい径の円弧と水平な直線辺により形成した。そして、直線管１８の出口端から５０ｍｍの間隔で該直線管１８の上下から切り込み溝を形成し、この切り込み溝に外側から前記第１および第２仕切板２１，２２を直線辺が水平状態になるように嵌着し、嵌着接合部を外側から塩化ビニル溶接して水密および気密状態にした。直線管１８に設置された第１仕切板２１は、その直線辺がこの直線管１８内の管底から４０ｍｍの高さに水平な上縁を形成し、第２仕切板２２は、その直線辺がこの直線管１８内の管底から３０ｍｍの高さに水平な下縁を形成した。
【００２５】
【発明の効果】
本発明によれば塩素ガス水封装置は、エルボ管や消毒トレイの凹部が不要となるので、部品数が少なく且つ小型になり、消毒槽の大型化を防止し、更には、組み立て所要時間を短縮することができる。
【図面の簡単な説明】
【図１】本発明の浄化槽の一実施の形態を示す横断平面図である。
【図２】本発明の浄化槽の一実施の形態における消毒槽と塩素ガス水封装置を示すもので、（ａ）はその横断平面図、（ｂ）は縦断側面図、（ｃ）は塩素ガス水封装置の縦断側面図、（ｄ）は仕切板配置図である。
【図３】浄化槽の機能ブロック図である。
【図４】従来の浄化槽の消毒槽とその塩素ガス水封装置を示すもので、（ａ）は消毒槽の横断平面図、（ｂ）は縦断側面図、（ｃ）は塩素ガス水封装置の縦断側面図である。
【符号の説明】
１１…消毒槽、１４…沈殿処理槽、１５…移流配管、１８…直線管、２１…第１仕切板、２２…第２仕切板。
【図１】
0004119993.tif 000002
【図２】
0004119993.tif 000003
【図３】
0004119993.tif 000004
【図４】
0004119993.tif 000005